【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】  約５０モル％未満のメチル化度、
約２〜約１５モル％のラムノーズ濃度、
約０．１〜約５モル％の３−ｏ−メチルラムノーズ濃度、
カルシウム塩溶液の存在下でゲルを形成する能力との、
性質のいずれか少なくとも１つを有し、
アロエ葉から抽出分離されたもので、
その抽出はスーパクリティカル液、水溶性有機溶媒、酸、アルカリ、キレート試薬、バクテリア、酵素あるいはそれらの組み合わせで行われたものである
アロエペクチン。
【請求項２】  アルカリによる抽出は、ｐＨ約９〜約１３で、温度約０〜約２２℃で行われたものである
請求項１記載のアロエペクチン。
【請求項３】  抽出は、ｐＨ約３〜約７で、温度約２０〜約１００℃で、ＥＤＴＡによって行われたものである
請求項１記載のアロエペクチン。
【請求項４】  抽出は、ｐＨ約７〜約９で、温度約２０〜約１００℃で、ＥＤＴＡによって行われたものである
請求項１記載のアロエペクチン。
【請求項５】  ペクチンの分子量が約１０4ダルトンから約１０7ダルトンである
請求項１記載のアロエペクチン。
【請求項６】  アロエペクチンは温度約−１０〜約１０℃で、ナトリウム塩溶液とゲルを形成し、そのゲルは温度が１５℃近くあるいはそれを超えると溶液に戻る
請求項５記載のアロエペクチン。
【請求項７】  ナトリウム塩溶液の濃度は約０．１Ｍ〜約０．５Ｍである
請求項６記載のアロエペクチン。
【請求項８】  アロエペクチンのメチル化度は約５０％未満である
請求項１記載のアロエペクチン。
【請求項９】  ペクチンの実質粘度は約１００ｍｌ／ｇ〜約２０００ｍｌ／ｇである
請求項１記載のアロエペクチン。
【請求項１０】  ラムノーズ濃度が約３〜約６モル％である
請求項１記載の精製したアロエペクチン。
【請求項１１】  ３−ｏ−メチルラムノーズ濃度が約０．１モル％超えである
請求項１記載の精製したアロエペクチン。
【請求項１２】  抽出がキレート試薬で行われたものである
請求項１記載のアロエペクチン。
【請求項１３】  約３０モル％未満のメチル化度、
約３〜約１５モル％のラムノーズ濃度、
約０．１〜約５モル％の３−ｏ−メチルラムノーズ濃度、
カルシウム塩溶液の存在下でゲルを形成する能力、
一価陽イオン性ゲルを形成する能力、および
約１０4ダルトンから約１０7ダルトンの分子量の
性質のいずれか少なくとも１つを有し、
アロエ葉から抽出分離されたもので、
その抽出はスーパクリティカル液、水溶性有機溶媒、酸、アルカリ、キレート試薬、バクテリア、酵素あるいはそれらの組み合わせで行われたものである
アロエペクチン。
【請求項１４】  抽出は、ｐＨ約３〜約７で、温度約２０〜約１００℃で、ＥＤＴＡによって行われたものである
請求項１３記載のアロエペクチン。
【請求項１５】  抽出は、ｐＨ約７〜約９で、温度約２０〜約１００℃で、ＥＤＴＡによって行われたものである
請求項１３記載のアロエペクチン。
【請求項１６】  アロエペクチンは温度約−１０〜約１０℃で、ナトリウム塩溶液とゲルを形成し、そのゲルは温度が１５℃近くあるいはそれを超えると溶液に戻る
請求項１３記載のアロエペクチン。
【請求項１７】  ナトリウム塩溶液の濃度は約０．１Ｍ〜約０．５Ｍである
請求項１６記載のアロエペクチン。
【請求項１８】  アロエペクチンのメチル化度は約３０％未満である
請求項１３記載のアロエペクチン。
【請求項１９】  ペクチンの実質粘度は約１００ｍｌ／ｇ〜約２０００ｍｌ／ｇである
請求項１３記載のアロエペクチン。
【請求項２０】  ラムノーズ濃度が約３〜約６モル％である
請求項１３記載の精製したアロエペクチン。
【請求項２１】  抽出がキレート試薬で行われたものである
請求項１３記載のアロエペクチン。
【請求項２２】  約１０モル％未満のメチル化度、
約３〜約１５モル％のラムノーズ濃度、
約０．１〜約５モル％の３−ｏ−メチルラムノーズ濃度、
カルシウム塩溶液の存在下でゲルを形成する能力、および
約１０4ダルトンから約１０7ダルトンの分子量で、温度約−１０〜約１０℃でナトリウム塩溶液とゲルを形成し、温度が１５℃近くあるいは超えると溶液になる能力
の性質のいずれか少なくとも１つを有し、
アロエ葉からｐＨ約３〜約７で、温度約２０〜約１００℃でＥＤＴＡを用いて抽出分離された
アロエペクチン。
【請求項２３】  約３０モル％未満のメチル化度、
約３〜約１５モル％のラムノーズ濃度、
約０．１〜約５モル％の３−ｏ−メチルラムノーズ濃度、
カルシウム塩溶液の存在下でゲルを形成する能力、および
約１０4ダルトンから約１０7ダルトンの分子量で、分子量約１０5から約１０7ダルトンを持つアロエペクチン部は温度約−１０〜約１０℃でナトリウム塩溶液とゲルを形成し、温度が１５℃近くあるいは超えると溶液になる
の性質のいずれか少なくとも１つを有し、
アロエ葉からｐＨ約７〜約９で、温度約２０〜約１００℃でＥＤＴＡを用いて抽出分離された
アロエペクチン。
【請求項２４】  アロエ葉の外皮あるいは内部の果肉あるいはアロエ葉全体を均質化して、均質化したアロエ物質を得て、
その均質化したアロエ物質から非水溶性部を得て、そして
その非水溶性部からペクチンを抽出する際に、
その抽出は、スーパクリティカル液、水溶性有機溶媒、酸、アルカリ、キレート試薬、バクテリア、酵素あるいはそれらの組み合わせで行われる
アロエペクチンを得る方法。
【請求項２５】  非水溶性部分がｐＨ約０．５〜約３で、温度約０〜約１００℃で抽出される
請求項２４記載の方法。
【請求項２６】  非水溶性部分がｐＨ約９〜約１３で、温度約０〜約２２℃で抽出される
請求項２４記載の方法。
【請求項２７】  非水溶性部分がキレート試薬で抽出される
請求項２４記載の方法。
【請求項２８】  非水溶性部分がＥＤＴＡで抽出される
請求項２４記載の方法。
【請求項２９】  非水溶性部分がｐＨ約４〜約７で、温度約２０〜約１００℃でＥＤＴＡで抽出される
請求項２８記載の方法。
【請求項３０】  非水溶性部分がｐＨ約７〜約９で、温度約２０〜約１００℃でＥＤＴＡで抽出される
請求項２８記載の方法。
【請求項３１】  請求項２４記載の方法で作られた製品。
【請求項３２】  請求項２８記載の方法で作られた製品。
【請求項３３】  請求項２９記載の方法で作られた製品。
【請求項３４】  請求項３０記載の方法で作られた製品。
【請求項３５】  アロエ葉の外皮あるいは内部の果肉あるいはアロエ葉全体を均質化して、均質化したアロエ物質を得て、
その均質化したアロエ物質から非水溶性部を得て、そして
その非水溶性部からＥＤＴＡを用いてｐＨ約４から約７で温度約２０〜約１００℃でペクチンを抽出する
アロエ葉からペクチンを分離する方法。
【請求項３６】  アロエ葉の外皮あるいは内部の果肉あるいはアロエ葉全体を均質化して、均質化したアロエ物質を得て、
その均質化したアロエ物質から非水溶性部を得て、そして
その非水溶性部からＥＤＴＡを用いてｐＨ約７〜約９で温度約２０〜約１００℃でペクチンを抽出する
アロエ葉からペクチンを分離する方法。
【請求項３７】  請求項３６記載の方法で作られた製品。
【請求項３８】  分子量約１０4ダルトン〜約１０7ダルトンを有するアロエペクチンに温度約−１０〜約１０℃で、ナトリウム塩溶液を加えることを有する
温度可逆性ゲルを形成する方法。
【請求項３９】  ナトリウム塩溶液の濃度は約０．１Ｍ〜約０．５Ｍである
請求項３８記載の方法。
【請求項４０】  アロエペクチンの濃度が約０．５ｍｇ／ｍｌから約２０ｍｇ／ｍｌである
請求項３８記載の方法。
【請求項４１】  ナトリウム塩溶液をｐＨ約３〜約９で、アロエペクチンに同じ量加える
請求項３８記載の方法。
【請求項４２】  請求項３８記載の方法で作られた製品。
【請求項４３】  請求項３９記載の方法で作られた製品。
【請求項４４】  請求項４０記載の方法で作られた製品。
【請求項４５】  請求項４１記載の方法で作られた製品。
【請求項４６】  薬用試薬を溶液状で分子量約１０4ダルトンから約１０7ダルトンを持つアロエペクチンあるいは精製したアロエペクチンに混ぜて混合物とし、
その混合物を二価の陽イオンの溶液に加えてビーズを生成することによる、
その中に封入された薬用試薬の乖離を制御するのに適したビーズを作るのにアロエペクチンあるいは精製したアロエペクチンを用いる方法。
【請求項４７】  アロエペクチンあるいは精製したアロエペクチンの濃度が約０．５ｍｇ／ｍｌから約２０ｍｇ／ｍｌである
請求項４６記載の方法。
【請求項４８】  二価の陽イオンはカルシウムあるいは亜鉛である
請求項４６記載の方法。
【請求項４９】  二価の陽イオン濃度が約０．０５Ｍから約１Ｍである
請求項４８記載の方法。
【請求項５０】  その混合物がｐＨ約３〜約９で二価陽イオン溶液中に加える
請求項４６記載の方法。
【請求項５１】  ビーズの寸法が約１ミクロンから約５ｍｍである
請求項４６記載の方法。
【請求項５２】  請求項４６記載の方法で作った製品。
【請求項５３】  薬用試薬を溶液状で分子量約１０4ダルトンから約１０7ダルトンで濃度約０．５ｍｇ／ｍｌから約２０ｍｇ／ｍｌのアロエペクチンあるいは精製したアロエペクチンに混ぜて混合物とし、
ｐＨ約３〜約９で濃度約０．０５Ｍ〜約１Ｍのカルシウム塩溶液にその混合物を加えて、約１ミクロンから約５ｍｍのビーズを生成することによる、
その中に封入された薬用試薬の乖離を制御するのに適したビーズを作るのにアロエペクチンあるいは精製したアロエペクチンを用いる方法。
【請求項５４】  請求項５３記載の方法で作った製品。
【請求項５５】  分子量約１０4ダルトンから約１０7ダルトンのアロエペクチンあるいは精製したアロエペクチン溶液に抗原を加えて、混合物を作り、
温度約−１０〜約１０℃にその混合物を冷やしてゲル基体とする、
抗原と抗体沈殿反応の基体を形成する方法。
【請求項５６】  請求項５５記載の方法で作った製品。
【請求項５７】  分子量約１０4ダルトンから約１０7ダルトンのアロエペクチンあるいは精製したアロエペクチン溶液に抗体を加えて、混合物を作り、
温度約−１０〜約１０℃にその混合物を冷やしてゲル基体とする、
抗原と抗体沈殿反応の基体を形成する方法。
【請求項５８】  請求項５７記載の方法で作った製品。
【請求項５９】  薬用試薬を分子量約１０4ダルトンから約１０7ダルトンのアロエペクチンあるいは精製したアロエペクチン溶液に加えて、混合物を作り、
温度約−１０〜約１０℃にその混合物を冷やして貯蔵基体とする、
薬用試薬物質の貯蔵基体を形成する方法。
【請求項６０】  請求項５９記載の方法で作った製品。